(57)【要約】【課題】本体とカバー部材の誤組付けを検知すること。【解決手段】直交状態で配置した第１本体側外壁体２２Ａ及び第２本体側外壁体２２Ｂを有する本体２０と、直交状態で配置した第１カバー側外壁体３２Ａ及び第２カバー側外壁体３２Ｂを有するカバー部材３０と、第１本体側係合体４１及び第１カバー側係合体４２で第１本体側外壁体と第１カバー側外壁体の嵌合状態を保持する第１ロック機構４０と、第２本体側係合体５１及び第２カバー側係合体５２で第２本体側外壁体と第２カバー側外壁体の嵌合状態を保持する第２ロック機構５０と、を備え、第２ロック機構は、本体とカバー部材とを嵌合完了位置まで相対移動させることで、嵌合完了位置における本体側外周壁とカバー側外周壁とで共通の筒軸方向に沿って第２本体側係合体と第２カバー側係合体とを係合完了位置まで相対移動させるように構成すること。【選択図】図２
2019088105.tif 000002
【特許請求の範囲】
【請求項１】
互いに直交状態で配置した第１本体側外壁体及び第２本体側外壁体並びに前記第１本体側外壁体に対して対向配置した第３本体側外壁体が少なくとも設けられた筒状の本体側外周壁を有し、前記本体側外周壁の内方の収容室に電子部品及び電線が収容される本体と、
互いに直交状態で配置した第１カバー側外壁体及び第２カバー側外壁体並びに前記第１カバー側外壁体に対して対向配置した第３カバー側外壁体が少なくとも設けられた筒状のカバー側外周壁を有し、前記本体側外周壁の開口側端部に前記カバー側外周壁の開口側端部を嵌め合わせて前記本体の開口を塞ぐカバー部材と、
前記第１本体側外壁体に設けた第１本体側係合体及び前記第１カバー側外壁体に設けた第１カバー側係合体を備え、前記第１本体側係合体と前記第１カバー側係合体との係合完了位置で前記第１本体側外壁体と前記第１カバー側外壁体の嵌合状態を保持する第１ロック機構と、
前記第２本体側外壁体に設けた第２本体側係合体及び前記第２カバー側外壁体に設けた第２カバー側係合体を備え、前記第２本体側係合体と前記第２カバー側係合体との係合完了位置で前記第２本体側外壁体と前記第２カバー側外壁体の嵌合状態を保持する第２ロック機構と、
を備え、
前記第２ロック機構は、前記本体と前記カバー部材とを嵌合完了位置まで相対移動させることで、前記嵌合完了位置における前記本体側外周壁と前記カバー側外周壁とで共通の筒軸方向に沿って前記第２本体側係合体と前記第２カバー側係合体とを係合完了位置まで相対移動させるように構成することを特徴とした電気接続箱。
【請求項２】
前記第２本体側係合体と前記第２カバー側係合体は、前記第１本体側係合体と前記第１カバー側係合体との係合が完了することなく、前記第１カバー側外壁体又は前記第１カバー側係合体が前記第１本体側外壁体又は前記第１本体側係合体に乗り上げているときに、互いの係合を完了させないように形成することを特徴とした請求項１に記載の電気接続箱。
【請求項３】
前記本体側外周壁は、前記第１本体側外壁体に対して直交状態で配置した第４本体側外壁体を有し、
前記カバー側外周壁は、前記第１カバー側外壁体に対して直交状態で配置した第４カバー側外壁体を有し、
前記第２ロック機構は、前記第４本体側外壁体に前記第２本体側係合体を設け、かつ、前記第４カバー側外壁体に前記第２カバー側係合体を設けることによって、前記第４本体側外壁体と前記第４カバー側外壁体との間にも設けることを特徴とした請求項１又は２に記載の電気接続箱。
【請求項４】
前記第３本体側外壁体は、前記第２本体側外壁体及び前記第４本体側外壁体に対して前記第１本体側外壁体とは逆側に配置し、
前記第３カバー側外壁体は、前記第２カバー側外壁体及び前記第４カバー側外壁体に対して前記第１カバー側外壁体とは逆側に配置し、
前記第２ロック機構は、前記第１本体側外壁体及び前記第１カバー側外壁体よりも前記第３本体側外壁体及び前記第３カバー側外壁体に寄せて配置することを特徴とした請求項３に記載の電気接続箱。
【請求項５】
前記第１カバー側係合体は、前記第１本体側係合体に向け且つ前記第１カバー側外壁体の壁面に対する交差方向に沿って突出させた挿入突出体であり、
前記第１本体側係合体は、前記第１本体側外壁体の開口側端部よりも前記第１カバー側外壁体側に突出させた突出壁部と、前記突出壁部に形成し、係合完了位置まで前記第１カバー側係合体が挿入されていく挿入孔と、を有することを特徴とした請求項１から４の内の何れか１つに記載の電気接続箱。
【請求項６】
電子部品と、
前記電子部品に一端側が電気的に接続される電線と、
前記電子部品及び前記電線の一端側を内部に収容すると共に前記電線の他端側を外部に引き出す筐体と、
を備え、
前記筐体は、
互いに直交状態で配置した第１本体側外壁体及び第２本体側外壁体並びに前記第１本体側外壁体に対して対向配置した第３本体側外壁体が少なくとも設けられた筒状の本体側外周壁を有し、前記本体側外周壁の内方の収容室に前記電子部品及び前記電線が収容される本体と、
互いに直交状態で配置した第１カバー側外壁体及び第２カバー側外壁体並びに前記第１カバー側外壁体に対して対向配置した第３カバー側外壁体が少なくとも設けられた筒状のカバー側外周壁を有し、前記本体側外周壁の開口側端部に前記カバー側外周壁の開口側端部を嵌め合わせて前記本体の開口を塞ぐカバー部材と、
前記第１本体側外壁体に設けた第１本体側係合体及び前記第１カバー側外壁体に設けた第１カバー側係合体を備え、前記第１本体側係合体と前記第１カバー側係合体との係合完了位置で前記第１本体側外壁体と前記第１カバー側外壁体の嵌合状態を保持する第１ロック機構と、
前記第２本体側外壁体に設けた第２本体側係合体及び前記第２カバー側外壁体に設けた第２カバー側係合体を備え、前記第２本体側係合体と前記第２カバー側係合体との係合完了位置で前記第２本体側外壁体と前記第２カバー側外壁体の嵌合状態を保持する第２ロック機構と、
を備え、
前記第２ロック機構は、前記本体と前記カバー部材とを嵌合完了位置まで相対移動させることで、前記嵌合完了位置における前記本体側外周壁と前記カバー側外周壁とで共通の筒軸方向に沿って前記第２本体側係合体と前記第２カバー側係合体とを係合完了位置まで相対移動させるように構成することを特徴としたワイヤハーネス。
【発明の詳細な説明】
【技術分野】
【０００１】
本発明は、電気接続箱及びワイヤハーネスに関する。
【背景技術】
【０００２】
従来、電気接続箱は、電子部品が収容される本体と、この本体の開口を塞ぐカバー部材と、を筐体の構成部材として備えている。その本体とカバー部材は、互いの開口の周縁部同士（つまり、互いの外周壁の開口側の端部同士）を嵌め合わせることによって組み付けられ、その嵌合状態がロック機構によって保たれている。ロック機構は、本体の外周壁に設けた第１係合体と、カバー部材の外周壁に設けた第２係合体と、を備える。第１係合体と第２係合体は、その相互間の係合動作を本体とカバー部材の嵌合動作と同時進行で実施し、その嵌合動作の完了と共に係合動作が完了するように構成している。尚、電気接続箱においては、筐体の内方の収容室で電子部品が電線に対して電気的に接続される。その電線は、筐体の外方に引き出され、例えば、車両の電源や負荷等に対して電気的に接続される。電気接続箱は、その電子部品や電線と共に一体となってワイヤハーネスを成す。下記の特許文献１には、この種の電気接続箱について開示されている。
【先行技術文献】
【特許文献】
【０００３】
【特許文献１】特開２００８−２３６８４７号公報
【発明の概要】
【発明が解決しようとする課題】
【０００４】
ところで、従来の電気接続箱においては、嵌合状態の保持という目的を果たすべく、本体の外周壁における対向配置された２つの外壁体に第１係合体を各々配置し、かつ、カバー部材の外周壁における対向配置された２つの外壁体に第２係合体を各々配置する。つまり、従来の電気接続箱においては、複数のロック機構が少なくとも対向配置状態で設けられている。第１係合体と第２係合体は、その内の少なくとも一方が爪部を有しており、本体とカバー部材の嵌合動作と共に、その爪部を相手方に引っ掛けることによって、相互間の係合を完了させる。
【０００５】
ここで、この電気接続箱においては、例えば車体等の周辺部品で作業者の作業位置よりも奥側の第１係合体が目視し難い場合、カバー部材を本体に組み付ける際に、例えば、その第１係合体にカバー部材の奥側の第２係合体を係合させた上で、手前側のロック機構を係合させる。しかしながら、この電気接続箱では、奥側の第２係合体が本体に奥側で乗り上げて、この第２係合体が奥側の第１係合体に係合していなくても、手前側のロック機構が係合されてしまう可能性がある。よって、この電気接続箱は、周辺部品との位置関係如何で、本体とカバー部材の嵌合が完了したものと作業者に誤認させてしまう虞がある。
【０００６】
そこで、本発明は、本体とカバー部材の誤組付けの検知が可能な電気接続箱及びワイヤハーネスを提供することを、その目的とする。
【課題を解決するための手段】
【０００７】
上記目的を達成する為、本発明に係る電気接続箱は、互いに直交状態で配置した第１本体側外壁体及び第２本体側外壁体並びに前記第１本体側外壁体に対して対向配置した第３本体側外壁体が少なくとも設けられた筒状の本体側外周壁を有し、前記本体側外周壁の内方の収容室に電子部品及び電線が収容される本体と、互いに直交状態で配置した第１カバー側外壁体及び第２カバー側外壁体並びに前記第１カバー側外壁体に対して対向配置した第３カバー側外壁体が少なくとも設けられた筒状のカバー側外周壁を有し、前記本体側外周壁の開口側端部に前記カバー側外周壁の開口側端部を嵌め合わせて前記本体の開口を塞ぐカバー部材と、前記第１本体側外壁体に設けた第１本体側係合体及び前記第１カバー側外壁体に設けた第１カバー側係合体を備え、前記第１本体側係合体と前記第１カバー側係合体との係合完了位置で前記第１本体側外壁体と前記第１カバー側外壁体の嵌合状態を保持する第１ロック機構と、前記第２本体側外壁体に設けた第２本体側係合体及び前記第２カバー側外壁体に設けた第２カバー側係合体を備え、前記第２本体側係合体と前記第２カバー側係合体との係合完了位置で前記第２本体側外壁体と前記第２カバー側外壁体の嵌合状態を保持する第２ロック機構と、を備え、前記第２ロック機構は、前記本体と前記カバー部材とを嵌合完了位置まで相対移動させることで、前記嵌合完了位置における前記本体側外周壁と前記カバー側外周壁とで共通の筒軸方向に沿って前記第２本体側係合体と前記第２カバー側係合体とを係合完了位置まで相対移動させるように構成することを特徴としている。
【０００８】
ここで、前記第２本体側係合体と前記第２カバー側係合体は、前記第１本体側係合体と前記第１カバー側係合体との係合が完了することなく、前記第１カバー側外壁体又は前記第１カバー側係合体が前記第１本体側外壁体又は前記第１本体側係合体に乗り上げているときに、互いの係合を完了させないように形成することが望ましい。
【０００９】
また、前記本体側外周壁は、前記第１本体側外壁体に対して直交状態で配置した第４本体側外壁体を有し、前記カバー側外周壁は、前記第１カバー側外壁体に対して直交状態で配置した第４カバー側外壁体を有し、前記第２ロック機構は、前記第４本体側外壁体に前記第２本体側係合体を設け、かつ、前記第４カバー側外壁体に前記第２カバー側係合体を設けることによって、前記第４本体側外壁体と前記第４カバー側外壁体との間にも設けることが望ましい。
【００１０】
また、前記第３本体側外壁体は、前記第２本体側外壁体及び前記第４本体側外壁体に対して前記第１本体側外壁体とは逆側に配置し、前記第３カバー側外壁体は、前記第２カバー側外壁体及び前記第４カバー側外壁体に対して前記第１カバー側外壁体とは逆側に配置し、前記第２ロック機構は、前記第１本体側外壁体及び前記第１カバー側外壁体よりも前記第３本体側外壁体及び前記第３カバー側外壁体に寄せて配置することが望ましい。
【００１１】
また、前記第１カバー側係合体は、前記第１本体側係合体に向け且つ前記第１カバー側外壁体の壁面に対する交差方向に沿って突出させた挿入突出体であり、前記第１本体側係合体は、前記第１本体側外壁体の開口側端部よりも前記第１カバー側外壁体側に突出させた突出壁部と、前記突出壁部に形成し、係合完了位置まで前記第１カバー側係合体が挿入されていく挿入孔と、を有することが望ましい。
【００１２】
また、上記目的を達成する為、本発明に係るワイヤハーネスは、電子部品と、前記電子部品に一端側が電気的に接続される電線と、前記電子部品及び前記電線の一端側を内部に収容すると共に前記電線の他端側を外部に引き出す筐体と、を備え、前記筐体は、互いに直交状態で配置した第１本体側外壁体及び第２本体側外壁体並びに前記第１本体側外壁体に対して対向配置した第３本体側外壁体が少なくとも設けられた筒状の本体側外周壁を有し、前記本体側外周壁の内方の収容室に前記電子部品及び前記電線が収容される本体と、互いに直交状態で配置した第１カバー側外壁体及び第２カバー側外壁体並びに前記第１カバー側外壁体に対して対向配置した第３カバー側外壁体が少なくとも設けられた筒状のカバー側外周壁を有し、前記本体側外周壁の開口側端部に前記カバー側外周壁の開口側端部を嵌め合わせて前記本体の開口を塞ぐカバー部材と、前記第１本体側外壁体に設けた第１本体側係合体及び前記第１カバー側外壁体に設けた第１カバー側係合体を備え、前記第１本体側係合体と前記第１カバー側係合体との係合完了位置で前記第１本体側外壁体と前記第１カバー側外壁体の嵌合状態を保持する第１ロック機構と、前記第２本体側外壁体に設けた第２本体側係合体及び前記第２カバー側外壁体に設けた第２カバー側係合体を備え、前記第２本体側係合体と前記第２カバー側係合体との係合完了位置で前記第２本体側外壁体と前記第２カバー側外壁体の嵌合状態を保持する第２ロック機構と、を備え、前記第２ロック機構は、前記本体と前記カバー部材とを嵌合完了位置まで相対移動させることで、前記嵌合完了位置における前記本体側外周壁と前記カバー側外周壁とで共通の筒軸方向に沿って前記第２本体側係合体と前記第２カバー側係合体とを係合完了位置まで相対移動させるように構成することを特徴としている。
【発明の効果】
【００１３】
本発明に係る電気接続箱においては、第１本体側外壁体と第１カバー側外壁体との間に第１ロック機構を設け、かつ、第２本体側外壁体と第２カバー側外壁体との間に第２ロック機構を設けている。つまり、この電気接続箱においては、第１ロック機構と第２ロック機構とを設けるそれぞれの外壁体が直交状態で配置されている。この電気接続箱においては、第１ロック機構が作業位置よりも奥側で目視し難い位置に配置されていたとしても、第１カバー側係合体等のカバー部材の奥側部分が第１本体側係合体等の本体の奥側部分に乗り上げた際に、第２ロック機構の第２本体側係合体と第２カバー側係合体の係合が完了しない。よって、作業者は、第２ロック機構の係合が完了していないことを契機にして、カバー部材が本体に正しく組み付けられていないことを把握することができる。このように、本発明に係る電気接続箱は、本体とカバー部材の誤組付けを作業者に検知させることができる。また、本発明に係るワイヤハーネスは、その電気接続箱を備えるものであるので、その電気接続箱の効果を奏することができる。
【図面の簡単な説明】
【００１４】
【図１】図１は、正規嵌合時の電気接続箱及びワイヤハーネスを示す斜視図である。
【図２】図２は、電気接続箱の分解斜視図である。
【図３】図３は、誤組付け検知時の電気接続箱を示す斜視図である。
【図４】図４は、正規嵌合時の電気接続箱を別角度から見た斜視図である。
【図５】図５は、誤組付け検知時の電気接続箱を別角度から見た斜視図である。
【図６】図６は、正規嵌合時の電気接続箱を示す側面図である。
【図７】図７は、誤組付け検知時の電気接続箱を示す側面図である。
【図８】図８は、誤組付け検知時の電気接続箱について説明する断面図である。
【図９】図９は、図７のＡ部を拡大した第２ロック機構の説明図である。
【図１０】図１０は、第１本体側係合体について説明する斜視図である。
【図１１】図１１は、第１カバー体側係合体について説明する斜視図である。
【図１２】図１２は、図６のＸ１−Ｘ１線断面の第２ロック機構の拡大図である。
【図１３】図１３は、図７のＸ２−Ｘ２線断面の第２ロック機構の拡大図である。
【発明を実施するための形態】
【００１５】
以下に、本発明に係る電気接続箱及びワイヤハーネスの実施形態を図面に基づいて詳細に説明する。尚、この実施形態によりこの発明が限定されるものではない。
【００１６】
［実施形態］
本発明に係る電気接続箱及びワイヤハーネスの実施形態の１つを図１から図１３に基づいて説明する。
【００１７】
図１から図８の符号１は、本実施形態の電気接続箱を示す。また、図１の符号ＷＨは、その電気接続箱１を備えた本実施形態のワイヤハーネスを示す。尚、各図の電気接続箱１は、後述する本体２０に２つのカバー部材が組み付けられるものであるが、後述する一方のカバー部材３０のみを示している。
【００１８】
本実施形態の電気接続箱１は、収容対象物ＡＣ（図２）が収容される筐体１０を備える（図１から図９）。筐体１０は、合成樹脂等の絶縁性材料で成形する。この筐体１０は、収容対象物ＡＣが収容される収容室１１を少なくとも１つ有する（図２）。この筐体１０においては、収容対象物ＡＣ及び電線（電力供給線や信号線等）Ｗｅ（図１）の一端側が内部の収容室１１に収容され、かつ、この電線Ｗｅの他端側が内部の収容室１１から外部に引き出される。よって、この筐体１０は、電線Ｗｅを内部から外部に引き出すための引出口１２を少なくとも１つ有する（図１）。尚、図１では、複数本存在している電線Ｗｅの内の一部を図示している。また、図２では、複数収容される収容対象物ＡＣの内の一部を図示している。
【００１９】
ここで、収容対象物ＡＣとしては、電線Ｗｅの一端側が電気的に接続される電子部品、又は、この電子部品を収容及び保持する電子部品保持体等が考えられる。本実施形態の電気接続箱１とは、電子部品と電子部品保持体の内の少なくとも一方が収容対象物ＡＣとして筐体１０に収容されるものである。この電気接続箱１は、その電子部品に対して電線Ｗｅを介して接続対象物（図示略）を電気的に接続させる。この電気接続箱１においては、筐体１０の内部で電線Ｗｅが電子部品に対して電気的に接続されており、その筐体１０の内部から外部に引き出された電線Ｗｅを介して電子部品が接続対象物に対して電気的に接続される。電気接続箱１は、その電線Ｗｅと共にワイヤハーネスＷＨを成す。
【００２０】
電子部品とは、例えば、リレー、ヒューズ等の回路保護部品、コネクタ、端子金具などのことを指している。ここでは、回路基板、電子制御ユニット（所謂ＥＣＵ）等の電子機器についても、電子部品の一形態として考える。また、接続対象物とは、二次電池などの電源、電気機器（アクチュエータ等）などの負荷、センサなどのことを指している。電気接続箱１においては、例えば、或る電線Ｗｅが電源に対して電気的に接続され、かつ、これとは別の電線Ｗｅが負荷に対して電気的に接続されており、その電源と負荷とを電子部品を介して電気的に繋いでいる。
【００２１】
この例示の筐体１０は、その構成部材として、本体２０とカバー部材３０とを備える（図１から図９）。本体２０とカバー部材３０は、互いに嵌め合わせることによって組み付けられる。
【００２２】
本体２０は、筐体１０の主体部分を成すものであり、収容室１１を有する（図２）。この本体２０においては、収容室１１が複数形成されており、それぞれの収容室１１に収容対象物ＡＣが収容される。ここで、１つの収容室１１には、少なくとも１つの収容対象物ＡＣが収容される。
【００２３】
更に、この本体２０は、収容対象物ＡＣを挿入するための開口（以下、「本体側開口」という。）２１を有する（図２）。本体側開口２１は、収容対象物ＡＣを収容室１１に収容する際の挿入口であり、収容室１１に連通させている。収容対象物ＡＣは、本体側開口２１から挿入して、収容室１１に収容される。
【００２４】
本体２０は、側壁としての外周壁（以下、「本体側外周壁」という。）２２を有しており（図１から図９）、両端を開口させた筒状に成形されている。本体側外周壁２２は、互いに直交状態で配置した第１本体側外壁体２２Ａ及び第２本体側外壁体２２Ｂと、第１本体側外壁体２２Ａに対して対向配置した第３本体側外壁体２２Ｃと、が少なくとも設けられた筒状に形成する（図２）。この例示の本体側外周壁２２は、更に、第１本体側外壁体２２Ａに対して直交状態で配置した第４本体側外壁体２２Ｄを有している（図２）。ここでは、第１本体側外壁体２２Ａと第３本体側外壁体２２Ｃとを対向配置させ、かつ、第２本体側外壁体２２Ｂと第４本体側外壁体２２Ｄとを対向配置させた角筒状に本体側外周壁２２が形成されている。つまり、第３本体側外壁体２２Ｃは、第２本体側外壁体２２Ｂ及び第４本体側外壁体２２Ｄに対して第１本体側外壁体２２Ａとは逆側に配置されている。
【００２５】
収容室１１は、その本体側外周壁２２で囲われた内部空間に形成する。従って、この本体２０においては、本体側外周壁２２の内方の収容室１１に、収容対象物ＡＣとしての電子部品並びに収容対象物ＡＣとしての電子部品保持体に収容及び保持される電子部品と電線Ｗｅとが収容される。この本体２０においては、その本体側外周壁２２の成す２つの開口が各々本体側開口２１（第１本体側開口２１Ａ、第２本体側開口２１Ｂ）となる（図２）。つまり、この例示の本体２０は、対向配置された２つの本体側開口２１（第１本体側開口２１Ａ、第２本体側開口２１Ｂ）を両端に有する収容体であり、所謂フレームと称されることがある。この本体２０においては、収容対象物ＡＣとしての電子部品と収容対象物ＡＣとしての電子部品保持体に収容及び保持される電子部品とが第１本体側開口２１Ａから挿入される。一方、収容対象物ＡＣとしての電子部品保持体は、第２本体側開口２１Ｂから挿入される。この本体２０の内部では、電子部品と電線Ｗｅの一端側とが電気的に接続される。その電線Ｗｅは、第２本体側開口２１Ｂを介して収容室１１から引き出され、引出口１２に案内される。
【００２６】
この本体２０においては、第１本体側開口２１Ａにカバー部材３０が組み付けられ、第２本体側開口２１Ｂに別のカバー部材（図示略）が組み付けられる。
【００２７】
カバー部材３０は、第１本体側開口２１Ａ側から本体２０に組み付けて、第１本体側開口２１Ａを塞ぐ。このカバー部材３０は、自らの開口（以下、「カバー側開口」という。）３１（図２）の周縁部を本体２０の第１本体側開口２１Ａの周縁部に嵌め合わせることによって、本体２０に組み付ける。カバー側開口３１の周縁部とは、後述するカバー側外周壁３２のカバー側開口３１側の端部（以下、「開口側端部」という。）３２ａに位置する部位のことである（図２）。また、第１本体側開口２１Ａの周縁部とは、本体側外周壁２２の第１本体側開口２１Ａ側の端部（以下、「開口側端部」という。）２２ａに位置する部位のことである（図２）。
【００２８】
カバー部材３０は、側壁としての外周壁（以下、「カバー側外周壁」という。）３２を有しており（図１から図９）、そのカバー側外周壁３２の一端を閉塞させ、かつ、カバー側外周壁３２の他端を開口させている。このカバー部材３０においては、その開口がカバー側開口３１となる。カバー側外周壁３２は、互いに直交状態で配置した第１カバー側外壁体３２Ａ及び第２カバー側外壁体３２Ｂと、第１カバー側外壁体３２Ａに対して対向配置した第３カバー側外壁体３２Ｃと、が少なくとも設けられた筒状に形成する（図２）。この例示のカバー側外周壁３２は、更に、第１カバー側外壁体３２Ａに対して直交状態で配置した第４カバー側外壁体３２Ｄを有している（図２）。ここでは、第１カバー側外壁体３２Ａと第３カバー側外壁体３２Ｃとを対向配置させ、かつ、第２カバー側外壁体３２Ｂと第４カバー側外壁体３２Ｄとを対向配置させた角筒状にカバー側外周壁３２が形成されている。つまり、第３カバー側外壁体３２Ｃは、第２カバー側外壁体３２Ｂ及び第４カバー側外壁体３２Ｄに対して第１カバー側外壁体３２Ａとは逆側に配置されている。
【００２９】
このカバー部材３０は、本体側外周壁２２の開口側端部２２ａにカバー側外周壁３２の開口側端部３２ａを嵌め合わせて、本体２０の第１本体側開口２１Ａを塞ぐ。本体２０とカバー部材３０との間では、第１本体側外壁体２２Ａと第１カバー側外壁体３２Ａのそれぞれの開口側端部２２ａ，３２ａ同士が嵌合され、第２本体側外壁体２２Ｂと第２カバー側外壁体３２Ｂのそれぞれの開口側端部２２ａ，３２ａ同士が嵌合され、第３本体側外壁体２２Ｃと第３カバー側外壁体３２Ｃのそれぞれの開口側端部２２ａ，３２ａ同士が嵌合され、第４本体側外壁体２２Ｄと第４カバー側外壁体３２Ｄのそれぞれの開口側端部２２ａ，３２ａ同士が嵌合される。本体２０とカバー部材３０は、その嵌合状態での互いの位置が嵌合完了位置となる。本体２０とカバー部材３０との間では、この嵌合状態を正規嵌合状態という（図１、図４及び図６）。この嵌合状態では、本体側外周壁２２の筒軸方向とカバー側外周壁３２の筒軸方向とが同じ向きになる。一方、本体２０とカバー部材３０との間では、その嵌合状態とは異なるそれぞれの開口側端部２２ａ，３２ａの係合状態（例えば、それぞれの開口側端部２２ａ，３２ａの一部分のみが嵌め合わされている状態等）を半嵌合状態という（図３、図５、図７及び図８）。
【００３０】
この筐体１０は、その本体２０とカバー部材３０の嵌合状態（正規嵌合状態）を保持するために、２種類のロック機構（第１ロック機構４０、第２ロック機構５０）を備えている（図１から図７）。
【００３１】
第１ロック機構４０は、第１本体側外壁体２２Ａと第１カバー側外壁体３２Ａとの間に設ける（図１から図７及び図８）。この第１ロック機構４０は、第１本体側外壁体２２Ａに設けた第１本体側係合体４１と、第１カバー側外壁体３２Ａに設けた第１カバー側係合体４２と、を備える。
【００３２】
この第１ロック機構４０は、第１本体側係合体４１と第１カバー側係合体４２との係合完了位置で、第１本体側外壁体２２Ａと第１カバー側外壁体３２Ａの嵌合状態を保持するように構成する。例えば、第１カバー側係合体４２は、第１本体側係合体４１に向け且つ第１カバー側外壁体３２Ａの壁面に対する交差方向に沿って突出させた挿入突出体として形成する（図２）。そして、第１本体側係合体４１は、第１本体側外壁体２２Ａの開口側端部２２ａよりも第１カバー側外壁体３２Ａ側に突出させた突出壁部４１ａと、この突出壁部４１ａに形成し、係合完了位置まで第１カバー側係合体４２が挿入されていく挿入孔４１ｂと、を有するように形成する（図２）。この第１ロック機構４０においては、第１本体側係合体４１と第１カバー側係合体４２とが係合完了位置のときに、嵌合完了位置における本体側外周壁２２とカバー側外周壁３２とで共通の筒軸方向（つまり、正規嵌合状態での筒軸方向）における挿入孔４１ｂの２つの周縁部が第１カバー側係合体４２の筒軸方向への動きを係止する。
【００３３】
この例示の突出壁部４１ａは、本体側外周壁２２の筒軸方向に沿って突出させた略矩形の板状体として形成している（図２及び図１０）。この突出壁部４１ａは、突出方向側の端面に第１カバー側係合体４２が乗り上げたときに、第２ロック機構５０の後述する第２本体側係合体５１と第２カバー側係合体５２の係合を完了させない位置まで突出させる。挿入孔４１ｂは、この突出壁部４１ａにおいて、第１本体側開口２１Ａ側に寄せて配置する。この挿入孔４１ｂの周縁部は、第１カバー側係合体４２の後述する片部４２ａのカバー側開口３１側の平面と各リブ４２ｂの突出方向側の端面とを筒軸方向で係止する。
【００３４】
更に、この例示の突出壁部４１ａは、第１本体側係合体４１と第１カバー側係合体４２とを係合させる際に、第１カバー側係合体４２としての挿入突出体の先端（自由端）を挿入孔４１ｂまで案内することが可能なガイド壁部として形成している。例えば、この突出壁部４１ａは、その第１カバー側係合体４２の先端を挿入孔４１ｂまで案内することが可能なガイド溝４５を有している（図１及び図１０）。この突出壁部４１ａは、基準壁面４５ａと２本のリブ４５ｂとでガイド溝４５を形成している。その基準壁面４５ａとは、第１カバー側係合体４２の先端の端面側を挿入孔４１ｂまで案内することが可能な壁面のことである。ここでは、基準壁面４５ａとして、突出壁部４１ａの第１本体側開口２１Ａ側の壁面を利用している。２本のリブ４５ｂは、その基準壁面４５ａから互いに間隔を空けて突出させ、かつ、第１カバー側係合体４２の先端の挿入孔４１ｂへの案内方向に沿って延在させる。この２本のリブ４５ｂは、第１カバー側係合体４２の先端の両側面を係止することができる。
【００３５】
一方、この例示の第１カバー側係合体４２は、第１カバー側外壁体３２Ａの壁面に対して直交方向に突出させている（図２及び図１１）。この第１カバー側係合体４２は、第１カバー側外壁体３２Ａ側を固定端とする片持ち状態にある。この第１カバー側係合体４２は、第１カバー側外壁体３２Ａの壁面に対して直交方向に突出させ、かつ、カバー側外周壁３２の筒軸方向に対する直交平面を備えた矩形の片部４２ａを有する（図１１）。更に、この第１カバー側係合体４２は、その片部４２ａにおける対向配置された２辺（固定端及び自由端以外の２辺）に、カバー側外周壁３２の筒軸方向に向けて同じ向きに突出させたリブ４２ｂを設けている（図１１）。この例示のリブ４２ｂは、カバー側開口３１側とは逆側に突出させている。このリブ４２ｂの突出方向側の端面は、固定端側を片部４２ａの平面と平行になるように形成し、自由端側を自由端に向かうに連れて片部４２ａに近づくように傾斜させる。
【００３６】
この例示では、第１本体側外壁体２２Ａと第１カバー側外壁体３２Ａとの間において、第１ロック機構４０を互いに間隔を空けて２箇所に配置している。そして、この例示では、それぞれの第１ロック機構４０において、突出壁部４１ａを共用している。従って、その突出壁部４１ａには、それぞれの第１カバー側係合体４２毎にガイド溝４５を設けている。
【００３７】
第２ロック機構５０は、第２本体側外壁体２２Ｂと第２カバー側外壁体３２Ｂとの間に設ける（図１から図３、図６、図７、図９、図１２及び図１３）。この第２ロック機構５０は、第２本体側外壁体２２Ｂに設けた第２本体側係合体５１と、第２カバー側外壁体３２Ｂに設けた第２カバー側係合体５２と、を備える。この第２ロック機構５０は、第２本体側係合体５１と第２カバー側係合体５２との係合完了位置で、第２本体側外壁体２２Ｂと第２カバー側外壁体３２Ｂの嵌合状態を保持するように構成する。
【００３８】
この第２ロック機構５０は、本体２０とカバー部材３０の嵌合動作と同時進行で第２本体側係合体５１と第２カバー側係合体５２とを相対移動させるように構成する。そして、この第２ロック機構５０は、本体２０とカバー部材３０とを嵌合完了位置まで相対移動させることで、嵌合完了位置における本体側外周壁２２とカバー側外周壁３２とで共通の筒軸方向に沿って第２本体側係合体５１と第２カバー側係合体５２とを係合完了位置まで相対移動させるように構成する。
【００３９】
ここで、この筐体１０においては、本体２０とカバー部材３０の組付けに際して、第１カバー側係合体４２を第１本体側係合体４１の挿入孔４１ｂに挿入し、この第１ロック機構４０を本体２０とカバー部材３０との間の回動軸として利用する。つまり、本体２０とカバー部材３０においては、係合状態にある第１ロック機構４０を支点にして相対回転させながら、お互いを嵌合させつつ、第２ロック機構５０の第２本体側係合体５１と第２カバー側係合体５２とを係合させていく。よって、第２本体側係合体５１と第２カバー側係合体５２は、筒軸方向に沿う相対移動が始まるまでの間、第１ロック機構４０を支点にした本体２０とカバー部材３０との間の相対回転に連動しながら相対移動している。従って、第２本体側係合体５１と第２カバー側係合体５２は、これらの相対移動を行いながらの係合動作が行えるように形成する。
【００４０】
例えば、第２本体側係合体５１と第２カバー側係合体５２の内の少なくとも一方は、嵌合完了位置における本体側外周壁２２とカバー側外周壁３２とで共通の筒軸方向に沿って延在させた延在部を有する。更に、この第２本体側係合体５１と第２カバー側係合体５２の内の少なくとも一方は、その延在部から筒軸方向に対する交差方向に突出させ、第２本体側係合体５１と第２カバー側係合体５２とが係合完了位置のときに筒軸方向で相手方に引っ掛けることによって、本体２０とカバー部材３０の嵌合状態を保持する係合部を有する。
【００４１】
具体的に、第２本体側係合体５１と第２カバー側係合体５２の内の一方は、延在部５２ａと係合部５２ｂとを有している（図９、図１２及び図１３）。延在部５２ａは、その内の他方に向け且つ嵌合完了位置における本体側外周壁２２とカバー側外周壁３２とで共通の筒軸方向に沿って延在させる。係合部５２ｂは、その延在部５２ａから筒軸方向に対する交差方向に突出させた爪部として形成する。また、第２本体側係合体５１と第２カバー側係合体５２の内の他方は、筒軸方向が嵌合完了位置における本体側外周壁２２とカバー側外周壁３２とで共通の筒軸方向と同じ筒部５１ａと、係合部５２ｂに筒軸方向で引っ掛ける係合部５１ｂと、を有する（図１２及び図１３）。この第２本体側係合体５１と第２カバー側係合体５２の内の他方は、その筒部５１ａの内方の空間であり、第２本体側係合体５１と第２カバー側係合体５２とが係合完了位置となるまで延在部５２ａが挿入されていく被挿入空間５１ｃを有している（図９、図１２及び図１３）。係合部５１ｂは、筒部５１ａの端部等を利用したものであってもよく、爪部として形成したものであってもよい。ここでは、第２本体側係合体５１が筒部５１ａと係合部５１ｂと被挿入空間５１ｃとを有し、第２カバー側係合体５２が延在部５２ａと係合部５２ｂとを有している。
【００４２】
この例示の延在部５２ａは、本体２０側の端部を自由端とする片持ち状態で第２カバー側外壁体３２Ｂに設けている。この延在部５２ａは、矩形の片体状に形成して、可撓性を持たせている。また、この例示の係合部５２ｂは、延在部５２ａの本体２０側の端部に設ける。この係合部５２ｂは、延在部５２ａの本体２０側の端部における一方の平面から爪状に突出させた爪部（第１爪部）として形成する。一方、この例示の係合部５１ｂは、筒部５１ａにおける被挿入空間５１ｃを成す内壁面に設ける。この係合部５１ｂは、筒部５１ａの筒軸方向に対する交差方向に突出させ、第２本体側係合体５１と第２カバー側係合体５２とが係合完了位置のときに係合部（第１爪部）５２ｂに引っ掛ける。この係合部５１ｂは、筒部５１ａの内壁面から爪状に突出させた爪部（第２爪部）として形成する。
【００４３】
この第２本体側係合体５１と第２カバー側係合体５２は、第１本体側係合体４１と第１カバー側係合体４２との係合が完了することなく又は第１本体側係合体４１と第１カバー側係合体４２との係合が完了し得ない状態で、第１カバー側外壁体３２Ａ又は第１カバー側係合体４２が第１本体側外壁体２２Ａ又は第１本体側係合体４１に乗り上げているときに、互いの係合を完了させないように形成する。つまり、この第２本体側係合体５１と第２カバー側係合体５２は、そのときに、それぞれの係合部５１ｂ，５２ｂを筒軸方向で引っ掛かる係合完了位置まで相対移動させないように形成する。
【００４４】
この例示では、第４本体側外壁体２２Ｄと第４カバー側外壁体３２Ｄとの間にも、第２本体側外壁体２２Ｂと第２カバー側外壁体３２Ｂとの間と同じ第２ロック機構５０を設けている（図１から図５）。その第２ロック機構５０は、第４本体側外壁体２２Ｄに第２本体側係合体５１を設け、かつ、第４カバー側外壁体３２Ｄに第２カバー側係合体５２を設けている。この第２ロック機構５０は、第２本体側外壁体２２Ｂと第２カバー側外壁体３２Ｂとの間の第２ロック機構５０と同じ構成のものであり、その間のものと同様にして配置する。故に、ここでは、第４本体側外壁体２２Ｄと第４カバー側外壁体３２Ｄとの間の第２ロック機構５０の具体的な説明を省略する。
【００４５】
この例示の筐体１０において、第２ロック機構５０は、第１本体側外壁体２２Ａ及び第１カバー側外壁体３２Ａよりも第３本体側外壁体２２Ｃ及び第３カバー側外壁体３２Ｃに寄せて、第２本体側外壁体２２Ｂと第２カバー側外壁体３２Ｂとの間及び第４本体側外壁体２２Ｄと第４カバー側外壁体３２Ｄとの間に配置する。ここでは、第２本体側外壁体２２Ｂの第３本体側外壁体２２Ｃ側の端部と第２カバー側外壁体３２Ｂの第３カバー側外壁体３２Ｃ側の端部との間、及び、第４本体側外壁体２２Ｄの第３本体側外壁体２２Ｃ側の端部と第４カバー側外壁体３２Ｄの第３カバー側外壁体３２Ｃ側の端部との間に、各々、第２ロック機構５０を配置している。この場合には、作業者による第２ロック機構５０の係合状態の目視での確認が容易になる。
【００４６】
以上示したように、本実施形態の電気接続箱１においては、第１本体側外壁体２２Ａと第１カバー側外壁体３２Ａとの間に第１ロック機構４０を設け、かつ、第２本体側外壁体２２Ｂと第２カバー側外壁体３２Ｂとの間に第２ロック機構５０を設けている。つまり、この電気接続箱１においては、第１ロック機構４０と第２ロック機構５０とを設けるそれぞれの外壁体が直交状態で配置されている。例えば、この電気接続箱１は、第１本体側開口２１Ａを車両上方に向け、かつ、第１本体側外壁体２２Ａ側よりも第３本体側外壁体２２Ｃ側を作業者の作業位置に近づけて本体２０が車体に取り付けられており、第１ロック機構４０が車体等の周辺部品に隠れて目視し難い位置に存在する場合がある。
【００４７】
そのような場合でも、本実施形態の電気接続箱１においては、第１本体側係合体４１の突出壁部４１ａにガイド溝４５を設けるなどして、この突出壁部４１ａを第１カバー側係合体４２のガイド壁部として利用することができる。よって、作業者は、第１カバー側係合体４２を突出壁部４１ａに突き当てることで第１本体側係合体４１の挿入孔４１ｂまで案内し、この第１カバー側係合体４２を係合完了位置まで挿入孔４１ｂに差し入れていくことができる。従って、本実施形態の電気接続箱１は、第１ロック機構４０が目視し難い位置に配置されていたとしても、この第１ロック機構４０の係合を完了させることができるので、本体２０に対するカバー部材３０の組付け作業性を向上させることができる。
【００４８】
尚、作業者は、第１カバー側係合体４２を挿入孔４１ｂに差し入れた後、この第１ロック機構４０を支点にしてカバー部材３０を本体に２０に対して回動させる。作業者は、カバー部材３０を回動させながら、本体側外周壁２２の開口側端部２２ａにカバー側外周壁３２の開口側端部３２ａを嵌め合わせつつ、第２カバー側係合体５２の延在部５２ａを第２本体側係合体５１の被挿入空間５１ｃに挿入して、それぞれの第２ロック機構５０の係合を完了させる（図１、図４、図６及び図１２）。よって、この例示の第２ロック機構５０は、本体２０とカバー部材３０とを相対移動（ここでは第１ロック機構４０を支点とする相対回転）させて少なくとも嵌合完了位置となるときに、その嵌合完了位置における本体側外周壁２２とカバー側外周壁３２とで共通の筒軸方向に沿って第２本体側係合体５１と第２カバー側係合体５２とを係合完了位置まで相対移動させるように構成している。
【００４９】
一方、本実施形態の電気接続箱１においては、カバー部材３０を組み付ける際に、第１カバー側係合体４２が突出壁部４１ａに乗り上げてしまう可能性がある。そして、この場合、作業者は、第１カバー側係合体４２の乗り上げに気付かずに、カバー側外周壁３２の開口側端部３２ａを本体側外周壁２２の開口側端部２２ａに嵌め込んでいく可能性がある。この電気接続箱１においては、その嵌め込み作業が進むと、例えば、第３本体側外壁体２２Ｃと第３カバー側外壁体３２Ｃのそれぞれの開口側端部２２ａ，３２ａ同士が嵌め合わされた時点又は嵌め合わされ始めた時点で、カバー部材３０を本体２０に対して相対移動させることができなくなる（図３、図５及び図７）。この時点で、カバー部材３０は、第１カバー側係合体４２等の作業位置よりも奥側部分が第１本体側係合体４１等の本体２０の奥側部分に乗り上げ、かつ、第３カバー側外壁体３２Ｃ等の作業位置寄りの手前側部分が第３本体側外壁体２２Ｃ等の本体２０の手前側部分に乗り上げる。つまり、このときのカバー部材３０は、本体２０への嵌合方向が正規の嵌合動作での嵌合方向に対して傾いた状態になっている。ここで、この電気接続箱１においては、第１ロック機構４０を設けた外壁体（第１本体側外壁体２２Ａ、第１カバー側外壁体３２Ａ）と第２ロック機構５０を設けた外壁体（第２本体側外壁体２２Ｂ、第２カバー側外壁体３２Ｂ）とが直交状態にある。よって、カバー部材３０が本体２０に乗り上げているときには、第２ロック機構５０において、第２本体側係合体５１と第２カバー側係合体５２との係合方向が正規の係合動作での係合方向に対して傾いた状態になっている（図３、図５、図７及び図９）。故に、このときの第２ロック機構５０においては、第２本体側係合体５１の係合部５１ｂと第２カバー側係合体５２の係合部５２ｂとを筒軸方向で引っ掛けることができないので、第２本体側係合体５１と第２カバー側係合体５２の係合が完了しない（図３、図５、図７、図９及び図１３）。従って、作業者は、第２ロック機構５０の係合が完了していないことを契機にして、カバー部材３０が本体２０に正しく組み付けられていないことを把握することができる。
【００５０】
この電気接続箱１においては、その本体２０とカバー部材３０の誤組付けの検知精度を高めるべく、第２ロック機構５０又は／及び突出壁部４１ａを先に示したように形成している。つまり、第２ロック機構５０の第２本体側係合体５１と第２カバー側係合体５２は、第１本体側係合体４１と第１カバー側係合体４２との係合が完了することなく又は第１本体側係合体４１と第１カバー側係合体４２との係合が完了し得ない状態で、第１カバー側外壁体３２Ａ又は第１カバー側係合体４２が第１本体側外壁体２２Ａ又は第１本体側係合体４１（ここでは突出壁部４１ａ）に乗り上げているときに、互いの係合を完了させないように形成している。また、突出壁部４１ａは、突出方向側の端面に第１カバー側係合体４２が乗り上げたときに、第２ロック機構５０の第２本体側係合体５１と第２カバー側係合体５２の係合を完了させないように形成している。
【００５１】
このように、本実施形態の電気接続箱１は、第１ロック機構４０が目視し難い位置に配置されていたとしても、本体２０に対するカバー部材３０の組付け作業性を向上させることができ、かつ、本体２０とカバー部材３０の誤組付けを作業者に検知させることができる。また、本実施形態のワイヤハーネスＷＨは、その電気接続箱１を備えるものであるので、その電気接続箱１の効果を奏することができる。
【００５２】
ところで、先の例示では、第１ロック機構４０の第１本体側係合体４１と第１カバー側係合体４２の係合方向に対して、第２ロック機構５０の第２本体側係合体５１と第２カバー側係合体５２の係合方向を交差させている。しかしながら、この電気接続箱１は、第２ロック機構５０の同様の構成のものを第１ロック機構４０として設け、第１ロック機構４０と第２ロック機構５０のそれぞれの係合方向を一致させてもよい。この電気接続箱１においては、そのような第１ロック機構４０が作業位置よりも奥側で目視し難い位置に配置されていたとしても、第１カバー側係合体４２等のカバー部材３０の奥側部分が第１本体側係合体４１等の本体２０の奥側部分に乗り上げた際に、第２ロック機構５０の係合が完了しない。よって、この場合でも、この電気接続箱１は、先の例示と同様に、本体２０とカバー部材３０の誤組付けを作業者に検知させることができる。また、この場合のワイヤハーネスＷＨについても、先の例示と同様に、その電気接続箱１の効果を奏することができる。
【符号の説明】
【００５３】
１  電気接続箱
１０  筐体
１１  収容室
２０  本体
２１  本体側開口
２１Ａ  第１本体側開口
２２  本体側外周壁
２２Ａ  第１本体側外壁体
２２Ｂ  第２本体側外壁体
２２Ｃ  第３本体側外壁体
２２Ｄ  第４本体側外壁体
２２ａ  開口側端部
３０  カバー部材
３１  カバー側開口
３２  カバー側外周壁
３２Ａ  第１カバー側外壁体
３２Ｂ  第２カバー側外壁体
３２Ｃ  第３カバー側外壁体
３２Ｄ  第４カバー側外壁体
３２ａ  開口側端部
４０  第１ロック機構
４１  第１本体側係合体
４１ａ  突出壁部
４１ｂ  挿入孔
４２  第１カバー側係合体
５０  第２ロック機構
５１  第２本体側係合体
５２  第２カバー側係合体
ＡＣ  収容対象物
Ｗｅ  電線
ＷＨ  ワイヤハーネス
【図１】
2019088105.tif 000003
【図２】
2019088105.tif 000004
【図３】
2019088105.tif 000005
【図４】
2019088105.tif 000006
【図５】
2019088105.tif 000007
【図６】
2019088105.tif 000008
【図７】
2019088105.tif 000009
【図８】
2019088105.tif 000010
【図９】
2019088105.tif 000011
【図１０】
2019088105.tif 000012
【図１１】
2019088105.tif 000013
【図１２】
2019088105.tif 000014
【図１３】
2019088105.tif 000015